(57)【要約】【課題】  優れた制振性能を有し、既設の木造建築物への取付け作業についても容易に行うことができ、さらに、取付け誤差を生じ難く、且つ良好なハンドリング性を有する木造建築物の制振壁を提供すること。【解決手段】  本発明の木造建築物１の制振壁２は、木質の壁枠３と壁板６とを有する。壁枠３は複数個の縦材４及び横材５から形成されている。壁板６として、アルミニウム又はアルミニウム合金板が用いられている。そして、この壁板６の周縁部が壁枠３に釘７や接着剤等により固着されることにより、壁板６が壁枠３に取り付けられている。【選択図】      図１
2005113676.tif 000002
【特許請求の範囲】
【請求項１】
制振壁板としてアルミニウム又はアルミニウム合金板が用いられ、
該壁板が、その周縁部を木質の壁枠に固着されて取り付けられていることを特徴とする木造建築物の制振壁。
【請求項２】
前記壁板として、伸びが１５％以上のアルミニウム又はアルミニウム合金板が用いられている請求項１記載の木造建築物の制振壁。
【請求項３】
前記壁板として、耐力を引張強さで割った値が０．６以下のアルミニウム又はアルミニウム合金板が用いられている請求項１又は２記載の木造建築物の制振壁。
【請求項４】
前記壁板の周縁部が前記壁枠に機械的結合手段により固着されている請求項１〜３のいずれか１項記載の木造建築物の制振壁。
【請求項５】
前記機械的結合手段は釘である請求項４記載の木造建築物の制振壁。
【請求項６】
前記壁板の周縁部が前記壁枠に接着剤により固着されている請求項１〜５のいずれか１項記載の木造建築物の制振壁。
【請求項７】
前記壁枠の周縁部が前記壁枠の内側に向いた面に重ね合わされた状態で、該周縁部が前記壁枠に固着されている請求項１〜６のいずれか１項記載の木造建築物の制振壁。
【請求項８】
請求項１〜７のいずれか１項記載の制振壁を備えていることを特徴とする木造建築物。
【請求項９】
木質の壁枠に周縁部を固着されて取り付けられる、木造建築物の制振壁用壁板であって、
板状のアルミニウム又はアルミニウム合金材からなることを特徴とする木造建築物の制振壁用壁板。
【請求項１０】
伸びが１５％以上のアルミニウム又はアルミニウム合金材からなる請求項９記載の木造建築物の制振壁用壁板。
【請求項１１】
耐力を引張強さで割った値が０．６以下のアルミニウム又はアルミニウム合金材からなる請求項９又は１０記載の木造建築物の制振壁用壁板。
【発明の詳細な説明】
【技術分野】
【０００１】
この発明は、木造建築物の制振壁、これを備えた木造建築物及び木造建築物の制振壁に用いられる壁板に関する。
【背景技術】
【０００２】
一般に家屋等の建築物には、木造建築物や鉄骨建築物などがある。木造建築物では主要な骨組に木材が用いられており、一方、鉄骨建築物では主要な骨組に鋼材が用いられている。木造建築物と鉄骨建築物とは、骨組の材質が相異するため、互いに異なる強度特性を有している。
【０００３】
ところで、鉄骨建築物においては、地震力等の外力を吸収し緩和する制振構造として、従来より次の構造が知られている。
【０００４】
（１）建築物における外力が集中する層の部材を、塑性化部材と第１弾性部材と所定の第２弾性部材とから構成する構造（例えば特許文献１参照。）。
【０００５】
（２）建築物における外力が集中する層を構成する部材の一部を、所定の塑性化部材で構成する構造（例えば特許文献２参照。）。
【０００６】
（３）建築物における外力が集中する階の部材を、弾性部材と塑性化部材とから構成し、且つ、両者のうち少なくとも一方の断面係数を所定の分布に基づいて設定する構造（例えば特許文献３参照。）。
【０００７】
（４）２個の梁の両端部を連結板で連結するとともに、双方の梁の端部に切欠き部を形成し、更に、連結板の中央部にくびれ部を形成する構造（例えば特許文献４参照。）。
【０００８】
（５）梁のウェブに、所定の透孔と所定の剪断降伏部とを設ける構造（例えば特許文献５参照。）。
【０００９】
さらに、鉄骨建築物の制振構造を開示した文献として、特開２００２−２９５０５３号公報、特開２００３−４９５５８号公報、特開２００１−３５５３４８号公報などが挙げられる（特許文献６−８参照。）。
【特許文献１】特許第２５９３３１３号公報（請求項１）
【特許文献２】特許第２９６１２２０号公報（請求項１）
【特許文献３】特許第２６６２６１７号公報（請求項１）
【特許文献４】特許第２９３９９１５号公報（請求項１）
【特許文献５】特許第３１７０５５７号公報（請求項１）
【特許文献６】特開２００２−２９５０５３号公報（請求項１）
【特許文献７】特開２００３−４９５５８号公報（請求項１）
【特許文献８】特開２００１−３５５３４８号公報（請求項１）
【発明の開示】
【発明が解決しようとする課題】
【００１０】
而して、木造建築物は、上述したように、鉄骨建築物とは異なる強度特性を有していることから、もし仮に木造建築物に上記（１）〜（５）の構造を適用したとしても、制振性能の向上を図ることができるかどうか不明であった。
【００１１】
しかも、上記（１）〜（５）の構造には、次のような難点があった。
【００１２】
すなわち、上記（１）〜（３）の構造では、いずれも、外力のエネルギーを吸収する部材として鋼製ブレース（筋交い）が取り付けられるが、既設の木造建築物にブレースを取り付けることは困難な作業を要する。
【００１３】
さらに、上記（１）〜（３）の構造では、外力による変形順序は、柱（縦材）及び梁（横材）からなる構造体に変形が生じてから、ブレースが塑性変形するようになっている。このとき、もし仮にこのブレースの剛性が高すぎる場合には、ブレースは塑性変形を生じず、その結果、外力のエネルギーを吸収することができなくなる。そこで、外力のエネルギーを確実に吸収できるようにするために、ブレーズの厚さを薄くし、該ブレースの剛性を低く設定する方法が考えられる。しかるに、ブレースは上述したように鋼製であることから、この鋼製ブレースで外力のエネルギーを確実に吸収できるようにするためには、ブレースの厚さを極めて薄く設定しなければならない。このような極めて薄い厚さのブレースは、取付け誤差を生じ易く、またハンドリング性が悪いという難点があった。
【００１４】
また、上記（４）及び（５）の構造では、梁の一部に切欠き部や透孔が設けられることから、既設の建築物において、梁の一部にこのような切欠き部等を設けると、梁の剛性が低下し、本来必要とされる梁の剛性を確保することが困難になるという難点があった。
【００１５】
本発明は、上述した技術背景に鑑みてなされたもので、その目的は、優れた制振性能を有する木造建築物の制振壁、これを備えた木造建築物、及び木造建築物の制振壁に用いられる壁板を提供することにある。更に本発明の他の目的は、新築時において取付け作業を容易に行えることはもとより、既設の木造建築物への取付け作業についても容易に行うことができ、さらに、取付け誤差を生じ難く、且つ良好なハンドリング性を有する、木造建築物の制振壁、これを備えた木造建築物、及び木造建築物の制振壁に用いられる壁板を提供することにある。
【課題を解決するための手段】
【００１６】
本発明は、以下の手段を提供する。
【００１７】
［１］  制振壁板としてアルミニウム又はアルミニウム合金板が用いられ、該壁板が、その周縁部を木質の壁枠に固着されて取り付けられていることを特徴とする木造建築物の制振壁。
【００１８】
［２］  前記壁板として、伸びが１５％以上のアルミニウム又はアルミニウム合金板が用いられている前項１記載の木造建築物の制振壁。
【００１９】
［３］  前記壁板として、耐力を引張強さで割った値が０．６以下のアルミニウム又はアルミニウム合金板が用いられている前項１又は２記載の木造建築物の制振壁。
【００２０】
［４］  前記壁板の周縁部が前記壁枠に機械的結合手段により固着されている前項１〜３のいずれか１項記載の木造建築物の制振壁。
【００２１】
［５］  前記機械的結合手段は釘である前項４記載の木造建築物の制振壁。
【００２２】
［６］  前記壁板の周縁部が前記壁枠に接着剤により固着されている前項１〜５のいずれか１項記載の木造建築物の制振壁。
【００２３】
［７］  前記壁枠の周縁部が前記壁枠の内側に向いた面に重ね合わされた状態で、該周縁部が前記壁枠に固着されている前項１〜６のいずれか１項記載の木造建築物の制振壁。
【００２４】
［８］  前項１〜７のいずれか１項記載の制振壁を備えていることを特徴とする木造建築物。
【００２５】
［９］  木質の壁枠に周縁部を固着されて取り付けられる、木造建築物の制振壁用壁板であって、板状のアルミニウム又はアルミニウム合金材からなることを特徴とする木造建築物の制振壁用壁板。
【００２６】
［１０］  伸びが１５％以上のアルミニウム又はアルミニウム合金材からなる前項９記載の木造建築物の制振壁用壁板。
【００２７】
［１１］  耐力を引張強さで割った値が０．６以下のアルミニウム又はアルミニウム合金材からなる前項９又は１０記載の木造建築物の制振壁用壁板。
【００２８】
次に、上記各項の発明を説明する。
【００２９】
［１］の発明において、本発明者らは、上記目的を達成するため、鋭意研究した結果、制振壁板として、アルミニウム又はアルミニウム合金板を用い、該壁板を、その周縁部を木質の壁枠に固着して取り付けることにより、優れた制振特性を有する木造建築物の制振壁を得ることができることを見い出した。
【００３０】
また、この制振壁によれば、壁枠の急速変形を効果的に遅延させることができる。
【００３１】
さらに、［１］の発明では、壁板として、鋼板ではなく、アルミニウム又はアルミニウム合金板が用いられていることにより、以下の作用を奏する。
【００３２】
すなわち、もし仮に壁板として鋼板が用いられている場合には、次のような不具合が生じる。すなわち、鋼製の壁板を木質の壁枠に取り付けると、該壁枠よりも壁板の方が剛性が高くなることがあり、その結果、地震力等の外力のエネルギーを吸収できなくなる虞がある。そこで、外力のエネルギーを確実に吸収できるようにするために、壁板を薄くし、該壁板の剛性、特に座屈強度を低く設定する必要がある。しかるに、鋼製の壁板で外力のエネルギーを確実に吸収できるようにするためには、壁板の厚さを例えば１ｍｍ未満という極めて薄い厚さに設定しなければならない。そのような極めて薄い壁板は、その取付け時にしわが生じるなど、取付け誤差を生じ易く、また持ち運び時に壁板が曲がるなど、ハンドリング性が悪くなるという問題が生じる。
【００３３】
これに対して、本発明では、壁板として、アルミニウム又はアルミニウム合金板が用いられているので、該壁板の厚さを鋼製の壁板よりも厚く設定することができる。その結果、壁板を壁枠に取り付ける際に取付け誤差を生じ難くすることができるし、良好なハンドリング性を得ることができる。しかも、アルミニウム又はアルミニウム合金材は、鋼材よりも軽量な材料であるから、壁板の厚肉化に伴う重量増加は殆ど生じないという利点がある。
【００３４】
また、本発明の制振壁において、壁板の壁枠への取付けは、例えば、機械的結合手段（釘、ネジ、ボルト等）又は／及び接着剤を用いることにより行ことができる。そのため、新築時において壁板の取付け作業を容易に行うことができるし、更には、既設の建築物にこの壁板を取り付ける場合であっても、その取付け作業を容易に行うことができる。
【００３５】
さらに、壁板としてアルミニウム又はアルミニウム合金板が用いられていることから、この壁板は切削加工や曲げ加工を容易に行うことができ、現場施工性に優れている。したがって、取付け作業の現場で、壁枠の形状や大きさに合わせて切削加工等を行うことができる。しかも、その際の加工工具としては、大掛かりな工具を必要とせず、ノコギリや金切り鋏等の小型汎用工具を用いて加工を行うことができる。また、その加工時に余った残り屑や、取り外した壁板は、現行のリサイクルルートを使って再利用することができ、そのため建築廃材の増加を抑制することができる。
【００３６】
なお、本発明では、壁板の壁枠への取付け手段は限定されるものではなく、例えば、上述したように機械的結合手段（釘、ネジ、ボルト等）、接着による結合手段が適用される。さらに、機械的結合手段と接着による接合手段とを併用しても良い。
【００３７】
また、本発明では、壁枠は、通常、互いに対向する左右一対の木質の縦材と、互いに対向する上下一対の木質の横材とが所定形状に組み付けられて形成される。また、壁枠は、木質のものであれば良く、その種類に限定されるものではない。例えば、壁枠の材質としては、杉材、檜材、松材が挙げられる。
【００３８】
［２］の発明では、壁板として、伸びが１５％以上のアルミニウム又はアルミニウム合金板が用いられることにより、制振壁の制振性能が更に向上する。
【００３９】
［３］の発明では、壁板として、耐力を引張強さで割った値が０．６以下のアルミニウム又はアルミニウム合金板が用いられることにより、制振壁の制振性能が更に一層向上する。
【００４０】
［４］の発明では、壁板の周縁部が壁枠に機械的結合手段により固着されているので、新築時において壁板の壁枠への取付け作業を容易に行うことができるし、更には、既設の建築物において壁板を壁枠に取り付ける場合であっても、その取付け作業を容易に行うことができる。また、外力のエネルギーの吸収量を確実に増大させることができ、したがって優れた制振性能を確実に発揮に得る制振壁を提供できる。
【００４１】
［５］の発明では、機械的結合手段が釘であるから、新築時において壁板の壁枠への取付け作業を更に容易に行うことができるし、更には、既設の建築物において壁板を壁枠に取り付ける場合であっても、その取付け作業を更に容易に行うことができる。
【００４２】
［６］の発明では、壁板の周縁部が壁枠に接着剤により固着されているので、新築時において壁板の壁枠への取付け作業を容易に行うことができるし、更には、既設の建築物において壁板を壁枠に取り付ける場合であっても、その取付け作業を容易に行うことができる。また、外力のエネルギーの吸収量を確実に増大させることができ、したがって優れた制振性能を確実に発揮に得る制振壁を提供できる。
【００４３】
［７］の発明では、壁板の周縁部が壁枠の内側に向いた面に重ね合わされた状態で、該周縁部が壁枠に固着されているので、新築時において壁板の壁枠への取付け作業を容易に行うことができるし、更には、既設の建築物において壁板を壁枠に取り付ける場合であっても、その取付け作業を容易に行うことができる。また、外力のエネルギーの吸収量を確実に増大させることができ、したがって優れた制振性能を確実に発揮に得る制振壁を提供できる。
【００４４】
［８］の発明では、優れた制振性能を有する木造建築物を提供できる。
【００４５】
［９］の発明では、壁板は、アルミニウム又はアルミニウム合金材からなるので、該壁板を木質の壁枠に取り付けることにより、上記［１］の発明と同じ作用を奏する。
【００４６】
［１０］の発明では、壁板は、伸びが１５％以上のアルミニウム又はアルミニウム合金材からなるので、該壁板を木質の壁枠に取り付けることにより、上記［２］の発明と同じ作用を奏する。
【００４７】
［１１］の発明では、壁板は、耐力を引張強さで割った値が０．６以下のアルミニウム又はアルミニウム合金材からなるので、該壁板を木質の壁枠に取り付けることにより、上記［３］の発明と同じ作用を奏する。
【発明の効果】
【００４８】
［１］の発明によれば、壁板として、アルミニウム又はアルミニウム合金板が用いられ、該壁板が、その周縁部を木質の壁枠に固着されて取り付けられているので、優れた制振特性を有する木造建築物の制振壁を提供することができる。
【００４９】
さらに、壁板の厚さを厚く設定することができるため、壁板を壁枠に取り付ける際に取付け誤差を生じ難くすることができるし、良好なハンドリング性を得ることができる。しかも、壁板の厚肉化に伴う重量増加は殆ど生じないという利点がある。
【００５０】
さらに、この壁板の壁枠への取付けは、例えば、釘、ネジ、ボルト等の機械的結合手段又は／及び接着剤を用いることにより、行うことができるから、新築時において壁板の取付け作業を容易に行えることはもとより、既設の建築構造物の壁枠に壁板を取り付ける場合であっても取付け作業を容易に行うことができる。
【００５１】
その上、この壁板は現場施工性に優れており、したがって取付け作業の現場で壁枠の形状や大きさに合わせて切削加工等を行うことができる。しかも、その加工を、ノコギリや金切り鋏等の小型汎用工具を用いて行うことができる。また、その加工時に余った残り屑や取り外した壁板は、現行のリサイクルルートを使って再利用することができ、そのため建築廃材の増加を抑制することができる。
【００５２】
［２］の発明によれば、制振壁の制振性能を更に向上させることができる。
【００５３】
［３］の発明によれば、制振壁の制振性能を更に一層向上させることができる。
【００５４】
［４］の発明によれば、新築時において壁板の壁枠への取付け作業を容易に行うことができるし、更には、既設の建築物において壁板を壁枠に取り付ける場合であっても、その取付け作業を容易に行うことができる。また、外力のエネルギーの吸収量を確実に増大させることができ、したがって優れた制振性能を確実に発揮に得る制振壁を提供できる。
【００５５】
［５］の発明によれば、新築時において壁板の壁枠への取付け作業を更に容易に行うことができるし、更には、既設の建築物において壁板を壁枠に取り付ける場合であっても、その取付け作業を更に容易に行うことができる。
【００５６】
［６］の発明によれば、新築時において壁板の壁枠への取付け作業を容易に行うことができるし、更には、既設の建築物において壁板を壁枠に取り付ける場合であっても、その取付け作業を容易に行うことができる。また、外力のエネルギーの吸収量を確実に増大させることができ、したがって優れた制振性能を確実に発揮に得る制振壁を提供できる。
【００５７】
［７］の発明によれば、壁板の周縁部が壁枠の内側に向いた面に重ね合わされた状態で、該周縁部が壁枠に固着されているので、新築時において壁板の壁枠への取付け作業を容易に行うことができるし、更には、既設の建築物において壁板を壁枠に取り付ける場合であっても、その取付け作業を容易に行うことができる。また、外力のエネルギーの吸収量を確実に増大させることができ、したがって優れた制振性能を確実に発揮に得る制振壁を提供できる。
【００５８】
［８］の発明によれば、優れた制振性能を有する木造建築物を提供できる。
【００５９】
［９］の発明によれば、壁板を木質の壁枠に取り付けることにより、上記［１］の発明と同じ効果を奏する。
【００６０】
［１０］の発明によれば、壁板を木質の壁枠に取り付けることにより、上記［２］の発明と同じ効果を奏する。
【００６１】
［１１］の発明によれば、壁板を木質の壁枠に取り付けることにより、上記［３］の発明と同じ効果を奏する。
【発明を実施するための最良の形態】
【００６２】
次に、本発明の好ましい一実施形態について図面を参照して以下に説明する。
【００６３】
図１において、（１）は、本発明の一実施形態に係る木造建築物である。この木造建築物（１）は、柱（４）、梁（５）等の骨組に木材が用いられたものであり、詳述すると、例えば戸建て住宅であって、木造軸組工法により組み立てられたものである。なお、同図において、（10）は木質角材からなる筋交いである。
【００６４】
この木造建築物（１）は制振壁（２）を備えている。制振壁（２）は、図３に示すように、壁枠（３）と制振壁板（６）とから実質的に構成されている。
【００６５】
壁枠（３）は木質のものである。詳述すると、この壁枠（３）は、互いに対向して配置された左右一対の木質の縦材としての柱（４）（４）と、互いに対向して配置された上下一対の木質の横材としての梁（５）（５）（桁を含む。）とが、正面視略ロ字状に組み付けられて形成されたものである。なお、この壁枠（３）には筋交い（ブレース）は設けられていない。柱（４）及び梁（５）はともに木質角材からなる。
【００６６】
この壁枠（３）において、互いに隣接する柱（４）と梁（５）とは、ほぞ等の様々な仕口（図示せず）を介して組み付けられて連結されている。なお、本発明では、柱（４）と梁（５）とは、釘、ネジ、ボルト等で連結されていても良い。
【００６７】
制振壁板（６）（以下、「壁板」と略記する。）は、板状のアルミニウム又はアルミニウム合金材からなる。すなわち、この壁板（６）として、アルミニウム又はアルミニウム合金板が用いられている。この壁板（６）の材質は、例えば、JIS  １０００系、２０００系、３０００系、４０００系、５０００系、６０００系及び７０００系のアルミニウム又はアルミニウム合金から適宜選択される。また、壁板（６）は、アルミニウム又はアルミニウム合金の展伸材（例えば、圧延材や押出材）からなるものが好適に用いられる。ただし、本発明では、壁板（６）はこれに限定されるものではない。
【００６８】
壁板（６）の形状は、正面視略四角形状に形成されている。ただし、本発明では、壁板（６）の形状はこれに限定されるものではない。また、壁板（６）の厚さは、０．５〜６ｍｍ（特に好ましくは１〜３ｍｍ）の範囲に設定されていることが望ましい。ただし、本発明では、壁板（６）の厚さはこの範囲に限定されるものではない。
【００６９】
そして、この壁板（６）は、壁枠（３）で囲まれた空間全面を閉塞するともに該壁板（６）の周縁部（即ち、上下左右の四側縁部）が壁枠（３）の前面に重ね合わされた状態に配置され、更に、この状態で、図１及び図２に示すように、該壁板（６）の周縁部（即ち、上下左右の四側縁部）が壁枠（３）の前面に釘（７）によって所定のピッチで固着されることにより、該壁板（１）が壁枠（３）に取り付けられている。釘（７）のピッチは、１０〜１００ｍｍ（特に好ましくは２５〜５０ｍｍ）の範囲に設定されていることが望ましい。ただし、本発明では、釘（７）のピッチはこの範囲に限定されるものではない。なお、本発明では、壁板（６）の周縁部は壁枠（３）に例えば接着剤によって固着しても良いし、更には、例えば糊釘併用のように機械的結合手段と接着による結合手段とを併用しても良い。
【００７０】
而して、この木造建築物（１）では、もし仮に地震等によって外力（地震力等）が木造建築物（１）に加わった場合には、制振壁（２）は、例えば該制振壁（２）を含む平面内で斜めに変形する（例えば、後述する図５参照。）。このように制振壁（２）が変形することによって外力のエネルギーが吸収され、これにより、木造建築物（１）の倒壊を防止できるなど、優れた制振性能を発揮するようになる。なお、この制振壁（２）では、該制振壁（２）の変形に伴って、例えば、壁板（６）が座屈したり、壁板（６）と壁枠（３）との接合部が破断したり、壁枠（３）における柱（４）と梁（５）との接合部が破断したりする。
【００７１】
なお、本実施形態では、壁板（６）は木造建築物（１）の１箇所に取り付けられているが、本発明では、壁板（６）を取り付ける箇所は１箇所に限定されるものではなく、複数箇所に取り付けられていても良い。すなわち、壁板（６）は、木造建築物（１）における制振性が要求される任意の壁枠（３）に取り付けられるものである。
【００７２】
さらに、この木造建築物（１）では、制振壁（２）の壁板（６）は、鋼材よりも低い剛性を有する材料であるアルミニウム又はアルミニウム合金材からなるので、該壁板（６）の厚さを鋼製の壁板よりも厚く設定することができる。そのため、壁板（６）を壁枠（３）に取り付ける際に取付け誤差を生じ難くすることができるし、良好なハンドリング性を得ることができる。しかも、アルミニウム又はアルミニウム合金材は、鋼材よりも軽量な材料であるから、壁板（６）の厚肉化に伴う重量増加は殆ど生じない。
【００７３】
さらに、壁板（６）の壁枠（３）への取付けは、例えば、釘、ネジ、ボルト等の機械的結合手段又は／及び接着剤により、行うことができる。したがって、新築時において壁板（６）の取付け作業を容易に行うことができるし、更には、既設の建築物にこの壁板（６）を取り付ける場合であっても、その取付け作業を容易に行うことができる。
【００７４】
さらに、壁板（６）はアルミニウム又はアルミニウム合金材からなることから、この壁板（６）を壁枠（３）に例えば釘（７）によって取り付ける場合には、釘（７）を容易に壁板（６）に対して貫通させることができ、釘（７）の打付けを行い易いという利点がある。
【００７５】
さらに、壁板（６）はアルミニウム又はアルミニウム合金材からなるので、切削加工や曲げ加工を容易に行うことができ、現場施工性に優れている。したがって、取付け作業の現場で、壁枠（３）の形状や大きさに合わせて切削加工等を行うことができる。しかも、その際の加工工具としては、大掛かりな工具を必要とせず、ノコギリや金切り鋏等の小型汎用工具を用いて加工を行うことができる。また、その加工時に余った残り屑や、取り外した壁板は、現行のリサイクルルートを使って再利用することができ、そのため建築廃材の増加を抑制することができる。
【００７６】
ここで、本発明では、壁板（６）は、伸びが１５％以上の板状アルミニウム又はアルミニウム合金材からなることが望ましい。こうすることにより、制振壁（２）の制振性能を更に向上させることができる。特に、アルミニウム又はアルミニウム合金材の伸びは大きいほど望ましく、これを具体的に示すと、２０％以上、２５％以上、３０％以上又は４０％以上であることが望ましい。一方、伸びの上限値は、特に限定されるものではなく、例えば６０％（好ましくは５０％）に設定される。
【００７７】
また、壁板（６）は、耐力を引張強さで割った値が０．６以下の板状アルミニウム又はアルミニウム合金材からなることが望ましい。こうすることにより、制振壁（２）の制振性能を更に一層向上させることができる。特に、この値は小さいほど望ましく、これを具体的に示すと、０．５以下又は０．４以下であることが望ましい。一方、この値の下限値は、特に限定されるものではなく、例えば０．３（好ましくは０．３５）に設定される。
【００７８】
本発明では、壁板（６）の伸び、耐力、引張強さ等の機械的特性は、該壁板（６）を構成するアルミニウム又はアルミニウム合金材を調質処理することにより、所望する特性に確実に調整することができる。調質処理としては、例えば、JIS  Ｈ０００１で規定するＦ処理、Ｏ処理、Ｈ処理、Ｗ処理及びＴ処理が好適に用いられる。
【００７９】
以上で、この発明の好ましい一実施形態について説明したが、この発明は上記実施形態に示したものに限定されるものではなく、様々設定変更可能である。
【００８０】
例えば、本発明では、制振壁（２）の壁板（６）の表面に装飾処理が施されていても良い。この場合には、壁板の表面を露出させた状態で該壁板を壁枠に取り付けることにより、この壁板を内装板又は外装板としても用いることが可能となる。さらに、この壁板はアルミニウム又はアルミニウム合金材からなるので、装飾処理を容易に行うことができる。装飾処理としては、アルマイト処理等の陽極酸化処理やプリントが例示される。
【００８１】
また、本発明では、壁板（６）の表面（又は裏面）に断熱材がコーティングされることで結露が防止されるものとなされていても良い。
【００８２】
また、本発明では、壁板（６）には補強リブ（図示せず）が設けられていても良い。この場合には、制振壁（２）の制振性能を確実に所望する性能に設定することができる。
【００８３】
また、本発明では、壁板（６）は、平板であっても良いし、波板であっても良いし、溝板であっても良い。壁板（６）が溝板である場合には、溝板の溝は、例えば、水平に延びていても良いし、垂直に延びても良いし、対角線上に延びていても良い。また、壁板（６）はその全体に亘って肉厚が均一に設定されたものであっても良いし、肉厚が不均一に設定されたもの、例えばテーパ材からなるものであっても良い。壁板（６）がテーパ材からなる場合には、壁板（６）として、壁板の中央ほど肉厚が薄くなるように設定されたものが例示される。また、壁板（６）に穴が開いていても良い。
【００８４】
また、本発明では、壁板（６）の形状に方向性を持たせても良い。例えば、壁板（６）に溝やテーパを設けることにより、制振性能を向上させたり、振れの感受性に方向性を持たせたりすることが可能となる。
【００８５】
また、本発明では、制振壁（２）を床材に適用しても良い。例えば、壁板（６）を床の枠組（床枠）の隅に設けられた火打ちの箇所に取り付けても良い。この場合であっても、本発明の効果を得ることができる。
【実施例】
【００８６】
本発明の制振壁の制振性能について評価するため、以下に示した試験を行った。
【００８７】
＜実施例１〜８＞
図４に示した制振壁（２）を製作した。この制振壁（２）の壁枠（３）は、２個の柱（４）（４）及び梁（５）（５）が略ロ字状に組み付けられて形成されている。そして、この壁枠（３）に壁板（６）の周縁部が固着されることにより、該壁板（６）が壁枠（３）に取り付けられている。
【００８８】
この制振壁（２）の壁枠（３）において、柱（４）及び梁（５）は、ともに、１００×１００ｍｍの断面四角形状の杉材からなる。また、壁枠（３）の高さ方向の長さＬは２７００ｍｍ、壁枠（３）の幅Ｗは９００ｍｍである。
【００８９】
また、この壁板（６）の材質、厚さ、伸び、及び耐力／引張強さの値（即ち、耐力を引張強さで割った値）は、表１のとおりである。なお、壁板（６）は、いずれも、平板状のアルミニウム又はアルミニウム合金の圧延材又は押出材からなる。また、同表中の「壁板の材質」の番号は、いずれも、JISで規定されたアルミニウム合金番号である。
【００９０】
この制振壁（２）において、壁板（６）の壁枠（３）への取付け方法は、図６（ａ）、図７（ａ）及び図８（ａ）で示した種類の方法を採用した。
【００９１】
図６（ａ）では、壁板（６）の周縁部が壁枠（３）の前面に重ね合わされた状態で、該壁板（６）の周縁部が釘（７）によって壁枠（３）に固着されることにより、壁板（６）が壁枠（３）に取り付けられている（図６（ｂ）参照。）。釘（７）のピッチは５０ｍｍである。
【００９２】
図７（ａ）では、壁板（６）の周縁部が壁枠（３）の前面に重ね合わされた状態で、該壁板（６）の周縁部が接着剤によって壁枠（３）に固着されることにより、壁板（６）が壁枠（３）に取り付けられている（図７（ｂ）参照。）。同図において、（８）は、接着剤による壁板（６）の接着部である。
【００９３】
図８（ａ）では、壁板（６）の周縁部が壁枠（３）の内側に向いた面に重ね合わされた状態で、該壁板（６）の周縁部が接着剤によって壁枠（３）に固着されることにより、壁板（６）が壁枠（３）に取り付けられている（図８（ｂ）参照。）。この壁板（６）の壁枠（３）への取付け構造について詳述すると、次のとおりである。すなわち、壁板（６）の周縁部が直角に折り曲げられるとともに、この折曲げ部が壁枠（３）の内側に向いた面に重ね合わされ、この重合せ状態で、壁板（６）の折曲げ部が接着剤によって壁枠（３）に固着されることにより、壁板（６）が壁枠（３）に取り付けられている。図８（ｃ）において、（８）は、接着剤による壁板（６）の接着部である。
【００９４】
＜比較例＞
図４に示した上記実施例の制振壁（２）の壁板（６）を壁枠（３）に取り付けないで、すなわち壁枠（３）だけを製作した。
【００９５】
以上の実施例の制振壁と比較例の制振壁について、図５に示すように面内剪断試験を行い、制振性能を評価した。同図において、Ｐは荷重、ｄは変形量、γは変形角（＝ｄ／Ｌ）である。なお、Ｌは、上述したように壁枠（３）の高さ方向の長さである。この評価結果を表１に示す。また、実施例の制振壁（２）についての荷重−変形角曲線の一例を図９に示す。
【００９６】
【表１】
2005113676.tif 000003
【００９７】
同表に示すように、実施例の制振壁（２）の破壊荷重及び破壊変形角は、いずれも、比較例の制振壁のそれに比べて大きく、すなわち実施例の制振壁（２）は外力のエネルギーの吸収量が大きい。したがって、実施例の制振壁（２）は優れた制振性能を発揮し得ることを確認し得た。
【産業上の利用可能性】
【００９８】
本発明に係る制振壁は、木造建築物の制振壁として利用可能である。
【００９９】
本発明に係る壁板は、木造建築物の制振壁に用いられる壁板として利用可能である。
【図面の簡単な説明】
【０１００】
【図１】本発明の一実施形態に係る制振壁を備えた木造建築物を示す要部斜視図である。
【図２】図１中のＡ−Ａ線断面図である。
【図３】同木造建築物の制振壁の壁枠に壁板を取り付ける前の状態を示す要部斜視図である。
【図４】実施例の制振壁の斜視図である。
【図５】同制振壁の面内剪断試験による変形状態を示す正面図である。
【図６】（ａ）は制振壁の壁枠と壁板との第１の取付け構造を示す要部正面図、（ｂ）は図６（ａ）中のＢ−Ｂ線断面図である。
【図７】（ａ）は制振壁の壁枠と壁板との第２の取付け構造を示す要部正面図、（ｂ）は図７（ａ）中のＣ−Ｃ線断面図である。
【図８】（ａ）は制振壁の壁枠と壁板との第３の取付け構造を示す要部正面図、（ｂ）は図８（ａ）中のＤ−Ｄ線断面図、（ｃ）は図８（ａ）中のＥ−Ｅ線断面図である。
【図９】実施例の制振壁についての荷重−変形角曲線の一例である。
【符号の説明】
【０１０１】
１：木造建築物
２：制振壁
３：壁枠
４：柱（縦材）
５：梁（横材）
６：制振壁板
７：釘
８：接着部
【図１】
2005113676.tif 000004
【図２】
2005113676.tif 000005
【図３】
2005113676.tif 000006
【図４】
2005113676.tif 000007
【図５】
2005113676.tif 000008
【図６】
2005113676.tif 000009
【図７】
2005113676.tif 000010
【図８】
2005113676.tif 000011
【図９】
2005113676.tif 000012